(57)【要約】    【課題】  支柱の側面における被測定物からの電磁波の測定用アンテナの取付け側への反射を軽減し、または測定用アンテナの取付け姿勢を安定させて電磁波の放射特性の測定精度を向上する。    【解決手段】  基台２の上面に起立された二本の支柱３ａ，３ｂと、二本の支柱３ａ，３ｂに沿って上下動可能に設けられた一対のスライダ４ａ，４ｂと、一対のスライダ４ａ，４ｂを同期して昇降させる昇降手段５と、二本の支柱３ａ，３ｂに水平に掛け渡され先端部に被測定物１からの電磁波を受信する測定用アンテナ２８を取り付け可能としたアンテナ支持棒６と、昇降手段５に対して駆動力を与えて駆動する駆動部７とを備え、少なくとも電磁波到来方向の前方の支柱３ａは、複数の細長板状の構成部材１４ａ，１５ａがその板面を交差して縦に延びた形状を有し、その側面における前記測定用アンテナ２８の取付け側への電磁波の反射が軽減されるように構成部材１４ａ，１５ａを配置した。【選択図】      図１
2006246034.tif 000002
【特許請求の範囲】
【請求項１】
基台の上面に垂直に起立された支柱と、
該支柱に沿って上下動可能に設けられたスライダと、
該スライダを前記支柱に沿って昇降させる昇降手段と、
前記スライダに水平に支持されて、先端部に被測定物からの電磁波を受信する測定用アンテナを取り付け可能としたアンテナ支持棒と、
前記昇降手段に対して駆動力を与えて駆動する駆動部とを備え、
前記支柱は、複数の細長板状の構成部材がその板面を交差して縦に延びた形状を有し、その側面における前記測定用アンテナの取付け側への電磁波の反射が軽減されるように前記構成部材を配置したことを特徴とするアンテナ昇降装置。
【請求項２】
基台の上面に所定間隔をおいて互いに垂直に起立された二本の支柱と、
該二本の支柱に沿って上下動可能に設けられた一対のスライダと、
該一対のスライダを前記二本の支柱に沿って同期して昇降させる昇降手段と、
前記一対のスライダに支持されて前記二本の支柱に水平に掛け渡され、先端部に被測定物からの電磁波を受信する測定用アンテナを取り付け可能としたアンテナ支持棒と、
前記昇降手段に対して駆動力を与えて駆動する駆動部とを備え、
前記二本の支柱のうち、少なくとも電磁波到来方向の前方の支柱は、複数の細長板状の構成部材がその板面を交差して縦に延びた形状を有し、その側面における前記測定用アンテナの取付け側への電磁波の反射が軽減されるように前記構成部材を配置したことを特徴とするアンテナ昇降装置。
【請求項３】
前記支柱は、横断面形状が略十字形又は略Ｔ字形若しくは略Ｌ字形を有し、一の構成部材の板面を電磁波の到来方向に合致させたことを特徴とする請求項１又は２記載のアンテナ昇降装置。
【請求項４】
前記支柱の他の構成部材の前記電磁波到来方向側の面に電磁波吸収体を設けたことを特徴とする請求項３記載のアンテナ昇降装置。
【請求項５】
前記支柱は、横断面形状が略十字形又は略Ｔ字形若しくは略Ｌ字形を有し、各構成部材の板面を電磁波到来方向に対してそれぞれ所定の角度だけ傾けたことを特徴とする請求項１又は２記載のアンテナ昇降装置。
【発明の詳細な説明】
【技術分野】
【０００１】
本発明は、垂直に起立された支柱に沿って被測定物からの電磁波を受信する測定用アンテナを昇降させるアンテナ昇降装置に関し、詳しくは、支柱の側面における測定用アンテナの取付け側への電磁波の反射を軽減し、または測定用アンテナの取付け姿勢を安定させて放射特性の測定精度を向上しようとするアンテナ昇降装置に係るものである。
【背景技術】
【０００２】
従来のアンテナ昇降装置は、基台の上面に垂直に起立された一本の支柱と、該一本の支柱に沿って昇降するスライダと、該スライダに水平に支持されて、先端部に被測定物からの電磁波を受信する測定用アンテナを取り付けるアンテナ支持棒と、上記スライダにベルトを介して動力を伝達して該スライダを昇降させる駆動部とを備えている（例えば、特許文献１参照）。
【特許文献１】実公平５−４５９８１号公報
【発明の開示】
【発明が解決しようとする課題】
【０００３】
しかし、このような従来のアンテナ昇降装置においては、上記支柱は、断面形状が四角形の柱状体であり、該四角形の柱状体の一側面が上記電磁波の到来方向に面するように設置されていたので、その側面で反射された電磁波、特に短波長の電磁波が測定用アンテナの取付け側に反射してその多くが測定用アンテナに受信され、測定精度を悪くする虞があった。
【０００４】
また、上記アンテナ支持棒が一本の支柱に対してスライダで支持されていたので、長いアンテナ支持棒の先端部に測定用アンテナを取り付けたときは、その先端部が撓んで測定用アンテナが傾き、被測定物から放射される電磁波の放射特性の測定精度が悪くなる虞があった。
【０００５】
そこで、本発明は、このような問題点に対処し、支柱の側面における被測定物からの電磁波の測定用アンテナの取付け側への反射を軽減し、または測定用アンテナの取付け姿勢を安定させて電磁波の放射特性の測定精度を向上しようとするアンテナ昇降装置を提供することを目的とする。
【課題を解決するための手段】
【０００６】
上記目的を達成するために、第１の発明によるアンテナ昇降装置は、基台の上面に垂直に起立された支柱と、該支柱に沿って上下動可能に設けられたスライダと、該スライダを前記支柱に沿って昇降させる昇降手段と、前記スライダに水平に支持されて、先端部に被測定物からの電磁波を受信する測定用アンテナを取り付け可能としたアンテナ支持棒と、前記昇降手段に対して駆動力を与えて駆動する駆動部とを備え、前記支柱は、複数の細長板状の構成部材がその板面を交差して縦に延びた形状を有し、その側面における前記測定用アンテナの取付け側への電磁波の反射が軽減されるように前記構成部材を配置したものである。
【０００７】
このような構成により、基台の上面に垂直に起立され、複数の細長板状の構成部材がその板面を交差して縦に延びた形状を有し、その側面における測定用アンテナの取付け側への電磁波の反射が軽減されるように上記構成部材を配置した支柱でスライダを上下動可能に支持し、該スライダで先端部に測定用アンテナを取り付け可能としたアンテナ支持棒を水平に支持し、駆動部で昇降手段に対して駆動力を与えて上記スライダを上下に移動させ、上記測定用アンテナを昇降して被測定物からの電磁波を測定用アンテナで受信する。
【０００８】
また、アンテナ昇降装置の第２の発明は、基台の上面に所定間隔をおいて互いに垂直に起立された二本の支柱と、該二本の支柱に沿って上下動可能に設けられた一対のスライダと、該一対のスライダを前記二本の支柱に沿って同期して昇降させる昇降手段と、前記一対のスライダに支持されて前記二本の支柱に水平に掛け渡され、先端部に被測定物からの電磁波を受信する測定用アンテナを取り付け可能としたアンテナ支持棒と、前記昇降手段に対して駆動力を与えて駆動する駆動部とを備え、前記二本の支柱のうち、少なくとも電磁波到来方向の前方の支柱は、複数の細長板状の構成部材がその板面を交差して縦に延びた形状を有し、その側面における前記測定用アンテナの取付け側への電磁波の反射が軽減されるように前記構成部材を配置したものである。
【０００９】
このような構成により、基台の上面に所定間隔をおいて互いに垂直に起立された二本の支柱のうち、少なくとも電磁波到来方向の前方に位置し、複数の細長板状の構成部材がその板面を交差して縦に延びた形状を有する支柱でその側面における測定用アンテナの取付け側への電磁波の反射を軽減し、上記二本の支柱で一対のスライダを上下動可能に支持し、該一対のスライダで先端部に測定用アンテナを取り付け可能としたアンテナ支持棒を支持して上記二本の支柱に水平に掛け渡し、駆動部で昇降手段に対して駆動力を与えて上記一対のスライダを上下に移動させ、上記測定用アンテナを昇降して被測定物からの電磁波を測定用アンテナで受信する。
【００１０】
さらに、前記支柱は、横断面形状が略十字形又は略Ｔ字形若しくは略Ｌ字形を有し、一の構成部材の板面を電磁波の到来方向に合致させたものである。これにより、横断面形状が略十字形又は略Ｔ字形若しくは略Ｌ字形を有し、一の構成部材の板面を電磁波の到来方向に合致させた支柱でスライダを上下動可能にする。
【００１１】
さらにまた、前記支柱の他の構成部材の前記電磁波到来方向側の面に電磁波吸収体を設けたものである。これにより、支柱の他の構成部材の電磁波到来方向側の面に設けた電磁波吸収体で電磁波を吸収する。
【００１２】
そして、前記支柱は、横断面形状が略十字形又は略Ｔ字形若しくは略Ｌ字形を有し、各構成部材の板面を電磁波到来方向に対してそれぞれ所定の角度だけ傾けたものである。これにより、横断面形状が略十字形又は略Ｔ字形若しくは略Ｌ字形を有し、各構成部材の板面を電磁波到来方向に対してそれぞれ所定の角度だけ傾けた支柱でスライダを上下動可能にする。
【発明の効果】
【００１３】
請求項１に係る発明によれば、基台の上面に垂直に起立された支柱を複数の細長板状の構成部材がその板面を交差して縦に延びた形状を有するものとし、その側面における測定用アンテナの取付け側への電磁波の反射が軽減されるように上記構成部材を配置したことにより、支柱の側面で反射されて測定用アンテナに受信される電磁波を少なくすることができる。したがって、被測定物からの電磁波の放射特性の測定精度を向上することができる。
【００１４】
また、請求項２に係る発明によれば、基台の上面に所定間隔をおいて互いに垂直に起立された二本の支柱のうち、少なくとも電磁波到来方向の前方の支柱を複数の細長板状の構成部材がその板面を交差して縦に延びた形状を有するものとし、その側面における測定用アンテナの取付け側への電磁波の反射が軽減されるように構成部材を配置したことにより、上記電磁波到来方向の前方の支柱の側面で反射されて測定用アンテナに受信される電磁波を少なくすることができる。したがって、被測定物からの電磁波の放射特性の測定精度を向上することができる。さらに、二本の支柱で一対のスライダを上下動可能に支持し、該一対のスライダで先端部に測定用アンテナを取り付け可能としたアンテナ支持棒を支持して上記二本の支柱に水平に掛け渡すものとしたことにより、アンテナ支持棒の撓みを少なくして測定用アンテナの取付け姿勢を安定させることができる。したがって、被測定物からの電磁波の放射特性の測定精度をより向上することができる。
【００１５】
また、請求項３に係る発明によれば、支柱を横断面形状が略十字形又は略Ｔ字形若しくは略Ｌ字形を有するものとし、一の構成部材の板面を電磁波の到来方向に合致させたことにより、被測定物からの電磁波の支柱による反射の影響を軽減することができる。
【００１６】
さらに、請求項４に係る発明によれば、支柱の他の構成部材の電磁波到来方向側の面に電磁波吸収体を設けたことにより、被測定物からの電磁波を電波吸収体で吸収して支柱による反射の影響をより軽減することができる。
【００１７】
そして、請求項５に係る発明によれば、支柱を横断面形状が略十字形又は略Ｔ字形若しくは略Ｌ字形を有するものとし、一の構成部材の板面を電磁波到来方向に対してそれぞれ所定の角度だけ傾けたことにより、被測定物からの電磁波の支柱による反射の影響をより軽減することができる。
【発明を実施するための最良の形態】
【００１８】
以下、本発明の実施形態を添付図面に基づいて詳細に説明する。図１は本発明によるアンテナ昇降装置の実施形態を示す正面図であり、図２は図１の平面図で、図３は図１の右側面図である。このアンテナ昇降装置は、例えば送信アンテナ、各種通信機器又は各種電子機器等の被測定物１からの電磁波を受信する測定用アンテナ２８を取り付けて昇降するもので、基台２と、二本の支柱３ａ，３ｂと、一対のスライダ４ａ，４ｂと、昇降手段５と、アンテナ支持棒６と、駆動部７とからなる。
【００１９】
上記基台２は、平らな上面に後述の支柱３ａ，３ｂを起立状態に保持すると共に、駆動部７を設置するものであり、例えば強化プラスチック（ＦＲＰ）や塩化ビニール等の非金属材料の板材で形成されたベース部材８とサブベース部材９とからなる。
【００２０】
ベース部材８は、矩形状に形成された板材からなり、その裏面の四隅部にそれぞれキャスター１０を設けて移動が可能とされている。そして、該キャスター１０の近傍部には、上下方向に貫通して設けたネジ孔に螺合してアジャスターフット１１を設け、該アジャスターフット１１の高さを調整して上記ベース部材８を水平に保つことができるようになっている。
【００２１】
上記ベース部材８の上面には、矩形状のサブベース部材９が設けられている。このサブベース部材９は、支柱３ａ，３ｂを垂直に起立させると共に駆動部７を設置するものであり、図３に示すように、上記ベース部材８に対して一側辺の両端部に水平に設けられた軸１２によって矢印Ａ方向に回動可能に軸支されている。そして、サブベース部材９の周囲の辺には、複数の貫通孔が設けられており、図２に示すように、該貫通孔を通して上記ベース部材８に設けられたネジ孔に固定ネジ１３を螺合して固定できるようになっている。
【００２２】
上記サブベース部材９の上面には、図１に示すように、所定間隔をおいて互いに垂直に起立されて二本の支柱３ａ，３ｂが設けられている。この二本の支柱３ａ，３ｂは、後述する一対のスライダ４ａ，４ｂを上下動可能に保持するものであり、図４に示すようにそれぞれ複数の細長板状の構成部材１４ａ，１５ａ又は１４ｂ，１５ｂがその板面を交差して縦に延びた形状を有し、横断面形状が略十字形をなした、例えばＦＲＰ等の非金属材料からなるものである。また、上記各支柱３ａ，３ｂの下端部には、図１に示すように、補強部材１６ａ，１６ｂが設けられており、その設置面積を広げて設置安定性が確保されている。さらに、上記各支柱３ａ，３ｂの上端部には、両支柱３ａ，３ｂに掛け渡してヘッド部材１７が設けられており、両支柱３ａ，３ｂの平行状態を維持できるようになっている。なお、この支柱３ａ，３ｂは、図３に示すように、搬送時には上記サブベース部材９を回動可能に軸支する上記軸１２を中心に矢印Ａ方向に倒伏されて、搬送が容易にされている。
【００２３】
ここで、上記支柱は、少なくとも被測定物１からの電磁波の到来方向（図１において矢印Ｂ方向）前方に位置する支柱３ａが、図４に示すようにその側面における測定用アンテナ２８の取付け側への電磁波の反射が軽減されるように各構成部材１４ａ，１５ａの板面を電磁波到来方向（矢印Ｂ方向）に対してそれぞれ所定の角度、例えば±45度だけ傾けて配置されている。
【００２４】
上記二本の支柱３ａ，３ｂには、一対のスライダ４ａ，４ｂが設けられている。この一対のスライダ４ａ，４ｂは、二本の支柱３ａ，３ｂに沿って上下動するものであり、例えばＦＲＰ等の非金属材料で形成されており、図５（ａ）にスライダ４ａについて示すように上下方向に貫通する第１の挿通孔１８と、同図（ｂ）に示すように第１の挿通孔１８の側方に設けられ、水平方向に貫通する第２の挿通孔１９とを備えている。なお、スライダ４ｂについても同様である。以下の説明においては、スライダ４ａについて述べる。
【００２５】
上記第１の挿通孔１８は、上記支柱３ａを挿通するためのものであり、図５（ａ）に示すように、互いに交わって横断面形状が略十字形をなした支柱３ａの二つの構成部材１４ａ，１５ａの端部に対応する位置にコロ２０が備えられてスライダ４ａが支柱３ａに沿って滑らかに上下動するようになっている。また、上記第２の挿通孔１９は、後述するアンテナ支持棒６を挿通させて支持するためのものであり、同図（ｂ）に示すように断面形状が四角形のアンテナ支持棒６を45度ずつ回転させて設置できるように正八角形の星型形状に形成されている。
【００２６】
上記駆動部７と上記一対のスライダ４ａ，４ｂとの間には、昇降手段５が設けられている。この昇降手段５は、駆動部７によって駆動力が与えられて上記一対のスライダ４ａ，４ｂを上記二本の支柱３ａ，３ｂに沿って同期して昇降させるものであり、図６に示すように駆動ギア２１ａ，２１ｂと、従動ギア２２ａ，２２ｂと、第１のタイミングプーリー２３ａ，２３ｂと、第２のタイミングプーリー２４ａ，２４ｂ（図１参照）と、タイミングベルト２５ａ，２５ｂ（図１参照）とからなる。なお、上記昇降手段５は、全て非金属材料で形成されている。
【００２７】
上記駆動ギア２１ａ，２１ｂは、駆動部７の回転軸と連結された連結シャフト２６上にて上記二本の支柱３ａ，３ｂの下端部近傍にそれぞれ設けられて、上記駆動部７の回転軸の回転に伴って回転するものである。また、上記従動ギア２２ａ，２２ｂは、上記各駆動ギア２１ａ，２１ｂにそれぞれ噛み合って回転するものである。さらに、上記第１のタイミングプーリー２３ａ，２３ｂは、従動ギア２２ａ，２２ｂの軸に対して設けられてそれらと共に回転するものである。また、上記第２のタイミングプーリー２４ａ，２４ｂは、上記第１のタイミングプーリー２３ａ，２３ｂに対応して図１に示す上記ヘッド部材１７の両端近傍部にそれぞれ設けられている。さらに、上記タイミングベルト２５ａ，２５ｂは、図１に示すように第１のタイミングプーリー２３ａ，２３ｂ及び第２のタイミングプーリー２４ａ，２４ｂとに掛け回されて一端部が上記スライダ４ａ，４ｂの上端部にそれぞれ固定され、他端部がスライダ４ａ，４ｂの下端部にそれぞれ固定されて、上記駆動部７の回転軸の回転力をスライダ４ａ，４ｂの上下方向への直線運動に変換できるようになっている。
【００２８】
また、上記各従動ギア２２ａ，２２ｂの回転軸にはエンコーダ２６ａ，２６ｂを備え、従動ギア２２ａ，２２ｂの回転数及び回転角を検出して昇降部材４ａ，４ｂの高さを計測可能になっている。さらに、上記駆動ギア２１ａにはブレーキ２７を備えて、駆動ギア２１ａの回転に制動を与えることができるようになっている。これにより、スライダ４ａ，４ｂを所定位置に素早く停止させて、測定用アンテナ２８（図１参照）の高さの設定精度を向上することができる。
【００２９】
上記一対のスライダ４ａ，４ｂには、図１に示すように、アンテナ支持棒６が支持されている。このアンテナ支持棒６は、上記二本の支柱３ａ，３ｂに水平に掛け渡されて、その先端部にアンテナ取付部２９を設けて測定用アンテナ２８を取り付け可能としたものであり、例えばＦＲＰ等の非金属材料からなり、横断面形状が四角形の棒状体とされている。この場合、そのいずれかの角部を上下方向に合致させて設置すれば、該上下面における電磁波の反射方向が上記測定用アンテナ２８の取付け側と異なる方向となり、測定用アンテナ２８による電磁波の放射特性の測定精度をより向上することができる。なお、後端部には、ケーブルガイド３０を設けて測定用アンテナ２８と図示省略の測定器とを接続するＲＦケーブルを、円弧状に形成したガイドレールに沿って緩やかに曲げて、ＲＦケーブルの芯線が折れ曲がって切断したり、インピーダンスが高くなるのを防止している。
【００３０】
上記サブベース部材９の上面にて電磁波の到来方向（矢印Ｂ方向）後方の支柱３ｂ近傍には、駆動部７が設置されている。この駆動部７は、昇降手段５に対して駆動力を与えて駆動して上記スライダ４ａ，４ｂを上下に移動させるものであり、例えばモータである。
【００３１】
次に、このように構成されたアンテナ昇降装置の動作について説明する。
先ず、図３に示すように、軸１２を中心にサブベース部材９を矢印Ａと反対方向に回転して二本の支柱３ａ，３ｂを起立させる。そして、サブベース部材９の周囲の辺に設けられた複数の貫通孔を通してベース部材８に設けられたネジ孔に固定ネジ１３を螺合してサブベース部材９をベース部材８に固定する。
【００３２】
また、必要に応じて、支柱３ａ，３ｂのヘッド部材１７の両端部とベース部材８の四隅部とにロープを張り、このロープの張力を調整して上記二本の支柱３ａ，３ｂの起立姿勢を設置面に対して垂直となるように調整する。さらに、屋外に設置する場合には、ベース部材８の四隅部側方の地面にペグを打ち込み、該各ペグと上記ヘッド部材１７の両端部とにロープを張って転倒を防止する。
【００３３】
次に、図５に示すように、スライダ４ａ，４ｂの第２の挿通孔１９にアンテナ支持棒６を挿通して設置し、図１に示すように該アンテナ支持棒６の先端部のアンテナ取付部２９に測定用アンテナ２８を取り付ける。また、アンテナ支持棒６の後端部のケーブルガイド３０を通して垂れ下がった図示省略のＲＦケーブルを測定器に接続する。
【００３４】
次に、駆動部７を駆動して駆動力を昇降手段５に与え、該昇降手段５により二つのスライダ４ａ，４ｂを所定位置まで上昇させる。そして、測定用アンテナ２８を所定の高さに設置する。このとき、上記二つのスライダ４ａ，４ｂは、上記昇降手段５によって同期して駆動されるので、アンテナ支持棒６は、水平状態を保って滑らかに移動する。
【００３５】
上記測定用アンテナ２８が所定の高さに設置されると、該測定用アンテナ２８に対向して所定の距離だけ離して設置された被測定物１が駆動され、該被測定物１から電磁波が放射される。そして、上記測定用アンテナ２８で、この電磁波を受信して被測定物１の電磁波の放射特性を測定する。この場合、上記二つの支柱３ａ，３ｂのうち、少なくとも電磁波到来方向（図１において矢印Ｂ方向）前方の支柱３ａは、互いに直交する二つの構成部材１４ａ，１５ａの板面を電磁波到来方向（矢印Ｂ方向）に対してそれぞれ±45度だけ傾けて配置している（図４参照）ので、電磁波の支柱３ａの側面で反射される電磁波、特に波長が例えば2.4GHz程度の短波長の電磁波の反射係数が小さくなり、支柱３ａ側面における測定アンテナ２８の取付け側への電磁波の反射が軽減されて放射特性の測定精度が向上する。
【００３６】
そして、異なる偏波面の電磁波を測定する場合には、アンテナ支持棒６を所定の角度だけ回転して偏波面を切換えて行う。この偏波面の切換えは、アンテナ支持棒６を一度取り外して角度を変え再度設置して行ってもよいが、スライダ４ａ，４ｂの第２の挿通孔１９の部分にアンテナ支持棒６を回転可能に支持する回転機構を設け、該回転機構に駆動部７の回転力を伝達してアンテナ支持棒６を回転させて行ってもよい。この場合、実公平５−４５９８１号公報に開示された偏波面切換手段を適用することができる。
【００３７】
ここで、図４に示すように、互いに直交する二つの構成部材１４ａ，１５ａの板面を電磁波到来方向（矢印Ｂ方向）に対してそれぞれ±45度だけ傾けて配置した第１の実施例の支柱３ａについて、周波数2.4GHzの電磁波の反射係数を空間定在波法により測定した一例を示すと、図７のように、約0.2となった。これは、断面形状が四角形の支柱の一側面を電磁波到来方向（矢印Ｂ方向）に面するように設置した従来例の約0.56に対して十分に小さいものであり、支柱３ａの側面における電磁波の反射が軽減されたことを示す。
【００３８】
図８は、支柱３ａの第２の実施例を示す横断面図である。この第２の実施例の支柱３ａは、それぞれ互いに直交する二つの構成部材１４ａ，１５ａのうち、一方の構成部材１４ａの板面を電磁波の到来方向（矢印Ｂ方向）に合致させて設置している。このような支柱３ａにおいては、電磁波の反射係数は、図７に示すように従来比で約0.29となり、従来例よりも小さくなった。
【００３９】
図９は、支柱３ａの第３の実施例を示す図である。この第３の実施例の支柱３ａは、それぞれ互いに直交する二つの構成部材１４ａ，１５ａのうち、一方の構成部材１４ａの板面を電磁波の到来方向（矢印Ｂ方向）に合致させて設置すると共に、他方の構成部材１５ａの板面の電磁波到来方向（矢印Ｂ方向）側の面に四角錐の電磁波吸収体３１、例えば黒鉛粉末を発泡ウレタンに混入したものを設けている。このような支柱３ａにおいては、電磁波の反射係数は、図７に示すように従来比で約0.04となり、従来例よりも遥かに小さいものとなった。
【００４０】
なお、上記実施形態においては、二つの支柱３ａ，３ｂの両方が略十字形の横断面形状を有するものとしたが、これに限られず、電磁波の到来方向前方の支柱３ａのみを横断面形状が略十字形としてもよい。
【００４１】
また、上記支柱３ａ，３ｂのうち、少なくとも電磁波到来方向の前方の支柱３ａは、横断面略形状が十字形をなしたものに限られず、横断面形状が略Ｔ字形又は略Ｌ字形をなしたものであってもよい。あるいは、複数の板状の構成部材が交わって縦に延びた形状を有したものであれば如何なる形状であってもよい。なお、上記いずれの場合も、支柱の側面における電磁波の測定用アンテナ２８の取付け側への反射が軽減されるように上記構成部材を配置する必要がある。
【００４２】
さらに、上記実施形態においては、二本の支柱３ａ，３ｂを設けた場合について説明したが、これに限られず、電磁波到来方向の前方側の支柱３ａのみを設けたものであってもよい。
【００４３】
そして、上記実施形態においては、アンテナ支持棒６が四角形の断面形状を有する場合について説明したが、これに限られず、断面形状が円形であってもよく、または、その側面における電磁波の反射方向が測定用アンテナ２８の取付け側と異なる方向となるものであればいかなる形状であってもよい。さらには、アンテナ支持棒６は、複数の板状の構成部材が交わって縦に延びた形状を有したものであってもよい。この場合も、アンテナ支持棒６の側面における電磁波の測定用アンテナ２８の取付け側への反射が軽減されるように上記構成部材を配置する必要がある。
【図面の簡単な説明】
【００４４】
【図１】本発明によるアンテナ昇降装置の実施形態を示す正面図である。
【図２】図１の平面図である。
【図３】図１の右側面図である。
【図４】上記アンテナ昇降装置において、支柱の形状を示す横断面図である。
【図５】上記アンテナ昇降装置において、スライダの一構成例を示す図であり、（ａ）は平面図、（ｂ）は右側面図である。
【図６】上記アンテナ昇降装置において、駆動部とそれに接続される昇降手段の要部を示す説明図である。
【図７】上記支柱の形状と設置状態を変えて電磁波の反射係数を測定した実験結果を示す表である。
【図８】上記支柱の第２の実施例を示す横断面図である。
【図９】上記支柱の第３の実施例を示す図であり、（ａ）は横断面図、（ｂ）は要部拡大右側面図である。
【符号の説明】
【００４５】
１…被測定物
２…基台
３ａ，３ｂ…支柱
４ａ，４ｂ…スライダ
５…昇降手段
６…アンテナ支持棒
７…駆動部
１４ａ，１４ｂ，１５ａ，１５ｂ…構成部材
２８…測定用アンテナ
３１…電磁波吸収体
Ｂ…電磁波到来方向
【図１】
2006246034.tif 000003
【図２】
2006246034.tif 000004
【図３】
2006246034.tif 000005
【図４】
2006246034.tif 000006
【図５】
2006246034.tif 000007
【図６】
2006246034.tif 000008
【図７】
2006246034.tif 000009
【図８】
2006246034.tif 000010
【図９】
2006246034.tif 000011